(57)【要約】【課題】収納部をカウンターにより近い位置に設置し、下方の空間を大きく設定できる。【解決手段】洗面台１は、洗面用のカウンター３と、カウンター３に嵌合されていてその上部がカウンター３の上方に突出した洗面ボウル４とを備えた。洗面ボウル４の裏面４ａは傾斜上端部ａから下方に傾斜する張り出し傾斜部と中央底部を有する断面略台形状の凸曲面を有する。カウンター３の前側下部に前板９とストッパー部１０を設置した。ストッパー部１０の下側に設けた回転式収納ポケット１２は、開閉可能な扉１５とその内面に固定された収納部１６を有する。収納部１６の下側に足や膝を保護する底部１１を設置した。収納部１６は洗面ボウル４の裏面４ａの傾斜が始まる傾斜開始部ａより前側に設置することで、洗面ボウル４の裏面４ａと干渉することなくカウンター３により近接した位置に設置でき、底部１１の下のニースペースを確保できる。【選択図】図２
2018089244.tif 000002
【特許請求の範囲】
【請求項１】
カウンターと、
前記カウンターに備えられた洗面ボウルと、
前記カウンターの下部に設置されていて回動して開閉可能な扉と、
前記扉の内面に固定された収納部とを備え、
前記収納部は前記洗面ボウルの裏面と前記カウンターの下面との交差部より前側に設置されていることを特徴とするキャビネット。
【請求項２】
前記収納部は前記洗面ボウルの裏面の上端である傾斜開始部より前側に設置されている請求項１に記載されたキャビネット。
【請求項３】
平面視で前記収納部は前記洗面ボウルの裏面と重ならない位置に設置されている請求項１または２に記載されたキャビネット。
【請求項４】
前記収納部の下側には前記収納部を覆うと共に前記洗面ボウルの裏面の一部を覆う保護部材が設置されている請求項１または２に記載されたキャビネット。
【発明の詳細な説明】
【技術分野】
【０００１】
本発明は、例えば洗面台や洗面化粧台等に回転式の収納ポケットを備えたキャビネットに関する。
【背景技術】
【０００２】
従来、洗面台等において小型の小物入れとして回転式の収納ポケットを備えたものが知られている。例えば、特許文献１に記載されたキャビネットでは、カウンターに設置した洗面ボウルの前側に設けた空間を開閉可能な扉が設置され、扉の内面にはロールタオルを繰り出し可能に支持するロール軸が設置されている。扉を下側に回転させて水平に開放するとロールタオルが外側に引き出されて使用可能であり、蓋を閉めるとロールタオルは空間内に収納されるようになっている。
このようなキャビネットの回転式収納ポケットは、扉の内面に収納部を固定して斜め外側に開放させて小物類等の収納物を出し入れする回転式収納ポケットには使用できなかった。
【０００３】
キャビネットに設置された一般的な回転式収納ポケットは、例えば洗面台に設置した洗面ボウルの下部前側に設置され、扉を下方に回転させて斜め上向きに開口する。扉の内面に固定された箱状の収納部の開口を通して小物類等を出し入れできる。このようなキャビネットでは、洗面ボウルの裏面がカウンターの下側に凸曲面状に突出しており、洗面ボウルは陶器製でボウル裏面の曲面にバリが生じていることがある。
そのため、洗面台の使用時に使用者がカウンターの前で椅子に着座する場合、カウンター下側の空間において回転式収納ポケットや洗面ボウル裏面のバリ等から使用者の膝や足等を保護するための底板が設置されている。
【先行技術文献】
【特許文献】
【０００４】
【特許文献１】実開平６−９５８９号公報
【発明の概要】
【発明が解決しようとする課題】
【０００５】
しかしながら、上述したニースペースキャビネットにおける回転式収納ポケットと洗面ボウルを備えた洗面台では、平面視で収納部と洗面ボウルの張り出し部とが重なるため、回転式収納ポケットの収納部を洗面ボウル裏面より下側に設置しなければならなかった。そのため、扉に固定した収納部や洗面ボウル裏面のバリ等から使用者の膝や足等を保護するための底板は収納部の更に下方に設置しなければならず、使用者の膝や足が入る収納部の下方の空間であるニースペースを十分にとれなかった。
【０００６】
本発明は、このような課題に鑑みてなされたものであって、収納部をよりカウンターに近い位置に設置できてその下方の空間を大きく設定できるようにしたキャビネットを提供することを目的とする。
【課題を解決するための手段】
【０００７】
本発明によるキャビネットは、カウンターと、カウンターに備えられた洗面ボウルと、カウンターの下部に設置されていて回動して開閉可能な扉と、扉の内面に固定された収納部とを備え、収納部はカウンターの下面と洗面ボウルの裏面との交差部より前側に設置されていることを特徴とする。
本発明では、洗面ボウルの裏面がカウンターの下面から下方に突出しており、その交差部より前側に収納部を設置したため、扉と収納部を洗面ボウル裏面と干渉しないカウンターの下面により近接した位置に設置できる。そのため、収納部の下方の空間を大きく設定できて、使用者にとって使い勝手がよく意匠性も向上する。
なお、洗面ボウルはその上部がカウンターの上面と面一に装着されていてもよいしカウンターの上面の上方に突出して装着されていてもよい。
【０００８】
また、収納部は洗面ボウルの裏面の上端である傾斜開始部より前側に設置されていることが好ましい。
収納部が洗面ボウルの裏面の上端である傾斜開始部より前側に設置されているため、扉と収納部をよりカウンターの下面に近接した位置に設置できる。
また、平面視で収納部は洗面ボウルの裏面と重ならない位置に設置されていることが好ましい。
【０００９】
また、収納部の下側には収納部と洗面ボウルの裏面の一部を覆う保護部材が設置されていることが好ましい。
保護部材によって使用者の膝や足等を収納部や洗面ボウルの裏面のバリ等から保護できるため安全で使い勝手がよい。
【発明の効果】
【００１０】
本発明によるキャビネットによれば、収納部はカウンターの下面と洗面ボウルの裏面との交差部より前側に設置されているため、洗面ボウルの裏面と干渉することなく収納部をよりカウンターに近い位置に設置でき、ニースペースとなる下方の空間を大きく設定できる。
【図面の簡単な説明】
【００１１】
【図１】本発明の第一実施形態による洗面台の要部斜視図である。
【図２】図１に示す洗面台の側面図である。
【図３】洗面台に設けた回転式収納ポケットの開放状態を収納部側から見た要部斜視図である。
【図４】回転式収納ポケットの収納部の部分斜視図である。
【図５】回転式収納ポケットの収納部の要部断面図である。
【図６】閉鎖状態にある回転式収納ポケットの要部説明図である。
【図７】開放状態にある回転式収納ポケットの要部説明図である。
【図８】本発明の第二実施形態による洗面台の要部側面図である。
【図９】第二実施形態の変形例による洗面台を示す要部側面図である。
【発明を実施するための形態】
【００１２】
以下、本発明の各実施形態による洗面台について添付図面によって説明する。
図１及び図２は本発明の第一実施形態による洗面台１を示すものである。本実施形態による洗面台１はその上部に使用者の装飾品や小物等を載せるカウンター３が設置され、カウンター３に洗面ボウル４の下部が嵌め込まれている。洗面ボウル４の奥側には水栓５が設置されている。
【００１３】
本実施形態では、洗面ボウル４の上部はカウンター３の上面３ａから上方に突出しており、洗面ボウル４の下部の略凸曲面状をなす裏面４ａはカウンター３に嵌合されてその下面３ｂの下方に一部が突出している。洗面ボウル４は例えば陶器製であり、型成形等で製作されるためその裏面４ａにはバリ等が生じることがある。カウンター３の下方には床面との間に空間が形成され、洗面台１の使用者が例えば椅子等に座った状態で足や膝等をカウンター３の下の空間内に入れて水栓５等を使用できるようになっている。
【００１４】
図２に示す洗面台１において、カウンター３の下方には空間が設置され、その奥側には水栓５に接続された配管８や洗面ボウル４の裏面４ａに接続された排水管６等が配設されている。カウンター３の下方の空間において、配管８等が設置された方向を奥側といい、これに対向して後述する回転式収納ポケット１２の扉１５が設置された方向を前側というものとする。
カウンター３の前側において、その先端面の下部より奥側に引っ込んだ位置に前板９が設置されている。前板９の前面側にはストッパー部１０が設置されている。ストッパー部１０はその基部が前板９の裏面に係止されていて先端部１０ａが前板９の前側に湾曲して延びて閉鎖位置にある扉１５の内面１５ａの上部に当接する位置にある。
【００１５】
前板９の下側には、洗面台１に固定されていて水平方向奥側に延びる例えば断面略Ｌ字型の底部１１が設置されている。底部１１は前側から水平方向奥側に延びる底板１１ａとその奥側端部で上側に起立する起立部１１ｂとで略Ｌ字状に形成されている。底板１１ａは使用者が洗面台１の使用時に椅子に着座して足や膝等を収納部１６や洗面ボウル４の裏面４ａから保護できる範囲に設置すればよい。
前板９及びストッパー部１０と底部１１との間には回転式収納ポケット１２が開閉可能に設置されている。カウンター３の下側に底部１１を設置することで、洗面台１の前で使用者が椅子に着座した際に足や膝等が回転式収納ポケット１２や洗面ボウル４の裏面４ａに接触することを防止している。
【００１６】
回転式収納ポケット１２は、図１に示すように、その上下に設けられた前板９及びストッパー部１０と底部１１と両側壁１４とで仕切られた細長い四角形の空間内に開閉可能に設置されている。図２及び図３に示す回転式収納ポケット１２は、ストッパー部１０及び前板９と底板１１ａとの間に設けられた開閉可能な扉１５と扉１５の内面１５ａに取り付けられていて小物類等の収納物を収納可能な収納部１６とが設けられている。扉１５の両端部においてその内面１５ａと側壁１４とにヒンジ部１８が設置され、内面１５ａと底板１１ａとにステー１９が設置されている。
内面１５ａの両側に設けたヒンジ部１８及びステー１９によって回転式収納ポケット１２は回動可能であり、ストッパー部１０の先端部１０ａに当接した閉鎖位置と斜め外側に回動した開放位置とに選択的に保持できる。また、内面１５ａの両側に設けたヒンジ部１８及びステー１９の間に収納部１６が設置されている。図１に示す例では収納部１６は扉１５の長手方向に１つ設置されている。しかし、収納部１６の長さを短くして２つまたは３つ以上設置してもよい。
【００１７】
図３乃至図５に示す収納部１６は、断面略Ｕ字状で長手方向に延びる収納本体２１とその両端部を閉鎖する側部２２とを備えている。収納本体２１は底面部を挟んで扉１５側の第一面２１ａと奥側の第二面２１ｂとを有しており、図５に示す閉鎖状態で第二面２１ｂより第一面２１ａの方が上方に高く延びて形成されている。側部２２は収納本体２１の両端部を封止し、その周縁部に形成した小幅のフランジ部で覆っているが、フランジ部はなくてもよい。
図５に示す収納部１６の閉鎖状態で第一面２１ａの上端部をなす扉側端部２１ａａは第二面２１ｂの上端部をなす奥側端部２１ｂｂよりも高い位置にある。収納部１６の上部の開口１６ａは対向する扉側端部２１ａａ及び奥側端部２１ｂｂと両側部２２の上端部２２ａとで構成されている。
【００１８】
奥側端部２１ｂｂは例えば断面略円弧状に湾曲形成されていて収納本体２１に収納された小物類が閉鎖作動時等に外側に落下することを抑制している。なお、奥側端部２１ｂｂは小物類の落下を抑制できれば断面略円弧状に湾曲していなくてもよく、例えば断面角形状や奥側端部２１ｂｂが第一面２１ａ側に湾曲または屈曲したヒレ部等を有していてもよい。このような奥側端部２１ｂｂの収納本体２１内への突部形状を返し部という。
扉１５の閉鎖位置で収納部１６の第一面２１ａの扉側端部２１ａａは、前板９やストッパー部１０よりも下側の位置にある。第二面２１ｂの奥側端部２１ｂｂは扉側端部２１ａａより低い位置にあって、回転式収納ポケット１２を開放作動させた際に前板９やストッパー部１０に接触しない回転軌跡を形成する。同様に、収納本体２１の両側部２２も開閉位置に関わらず前板９やストッパー部１０に接触しないようにその上端部２２ａが凸曲面状に形成され、その両端部は扉側端部２１ａａ、奥側端部２１ｂｂの一部を形成している。奥側端部２１ｂｂの高さが低いため、回転式収納ポケット１２とその下の底部１１をカウンター３により近い高さに設置できる。
【００１９】
図５において、収納本体２１における第一面２１ａの扉側の裏面には、上部に略フック状の係合受け部２１ｃが形成され、下部に係合爪２１ｄが突出して形成されている。また、扉１５の内面１５ａには板状の係止部材２３が図示しないねじや接着剤等で固定され、係止部材２３の上部に係止爪２３ａが形成され、下部には略Ｕ字状の係止受け部２３ｂが形成されている。
収納本体２１の第一面２１ａの裏面下部に設けた係合爪２１ｄが係止部材２３の係止受け部２３ｂに係合し、第一面２１ａの裏面上部に設けた係合受け部２１ｃに係止爪２３ａが係合することで、収納本体２１が扉１５の内面１５ａに取り付けられている。
なお、収納部１６は係止部材２３を設けずに直接扉１５の内面１５ａに接着剤やねじ等で固定してもよい。
【００２０】
また、収納部１６の内部には、収納本体２１の収納空間を区切る仕切部２４が設置されている。仕切部２４は収納本体２１の内面の断面形状に近似する形状の板材であり、その第一面２１ａ側上部の扉側端部２１ａａに係止する断面略フック状のガイド部２４ａが形成されている。ガイド部２４ａは仕切部２４の他の部分よりも幅広に形成したことで、仕切部２４のガタツキを防止すると共にスライドを許容しつつも仕切部２４が第一面２１ａから抜けにくいようにした。なお、ガタツキ防止のためのガイド部は仕切部２４における収納本体２１の内面に接触する周縁部の適宜位置に設置できる。
仕切部２４は図３に示す例では収納本体２１内に間隔を開けて２枚設置したが、設置枚数は任意に選択できる。また、収納本体２１内に仕切部２４を設置しなくてもよい。また、仕切部２４の上端部２４ｂは、収納本体２１の扉側端部２１ａａ側から奥側端部２１ｂｂ側に向けて、収納部１６の開閉位置に関わらず前板９やストッパー部１０に接触しないように凸曲面状に形成されている。
【００２１】
仕切部２４によって、収納本体２１の第二面２１ｂの高さを第一面２１ａより低く形成しながらも小物類等の収納容積を大きくしている。収納部１６の両側部２２も同様に奥側端部２１ｂｂの高さを扉側端部２１ａａの高さより低くし上端部２２ａを凸曲面状に形成したため、小物類等の収納容積を大きくできる。また、仕切部２４の周縁部にガイド部２４ａより小幅のフランジ部を設置してスライドを容易にしているが、フランジ部は設置しなくてもよい。
【００２２】
また、図２に示すように、カウンター３は洗面ボウル４よりも前方に突出して配置されている。カウンター３の下部に設置された収納部１６は側面視または平面視で洗面ボウル４の裏面４ａの前側上端部である傾斜開始点ａ(傾斜開始部)よりも前側に突出して位置している。
そのため、回転式収納ポケット１２は洗面ボウル４の裏面４ａの配置形状の影響を受けることなく、カウンター３の下部に設置でき、回転式収納ポケット１２とその下部の底部１１はよりカウンター３に近接させた位置に配置されている。そして、底部１１の下側における使用者の膝や足等が入る空間を床面との間に高く設置でき、底部１１の底板１１ａの奥行方向長さを短くしても膝や足等が洗面ボウル４の裏面４ａのバリ等に接触するおそれを抑制できる。換言すると、底部１１の奥行方向長さは使用者の膝や足等が収納部１６や洗面ボウル４の裏面４ａに接触し得る範囲に設定すればよい。
【００２３】
本第一実施形態による洗面台１は上述した構成を備えており、次に洗面台１に設けた回転式収納ポケット１２の開閉方法について図６及び図７に沿って説明する。
図６は回転式収納ポケット１２の閉鎖状態を示すものであり、扉１５はカウンター３の下方で略垂直に起立して内面１５ａがストッパー部１０の先端部１０ａに当接している。この状態で、収納部１６はストッパー部１０及び前板９と底部１１との間の空間内で洗面ボウル４の裏面４ａの前方に収納されている(図２参照)。しかも、収納本体２１の第一面２１ａの扉側端部２１ａａはストッパー部１０の下側にあり、第二面２１ｂの奥側端部２１ｂｂは扉側端部２１ａａの奥側下方に位置している。この状態で、収納部１６は底部１１の底板１１ａに着座しているが、着座していなくてもよい。
【００２４】
閉鎖状態から使用者が扉１５を開放作動させると、図７に示すように回転式収納ポケット１２の扉１５は下吊元のヒンジ部１８を中心に下方に開放作動し、収納部１６も扉１５と一体に外側に回転する。その際、奥側端部２１ｂｂの回転軌跡が扉側端部２１ａａの回転軌跡よりも径方向外側に位置することがないため、収納本体２１の扉側端部２１ａａや奥側端部２１ｂｂがストッパー部１０の先端部１０ａや前板９に接触することなく外側に回動し、扉１５と収納部１６が斜め外側に傾斜した開放位置で停止する。
しかも、収納本体２１の両側部２２や仕切部２４は上端部２２ａ、２４ｂが凸曲面状に形成されているため、同様にストッパー部１０や前板９に接触することなく外側に回動する。開放状態で、収納部１６の上部の開口１６ａがカウンター３の前方に飛び出しており、収納部１６内に小物類等を納めたり取り出したりすることができる。
【００２５】
その後、回転式収納ポケット１２を閉鎖作動させると、上述の開放作動と逆の動作で閉鎖され、扉１５がストッパー部１０の先端部１０ａに当接して停止する。閉鎖状態で、収納本体２１の奥側端部２１ｂｂは扉側端部２１ａａより低い位置にあるが、収納部１６内に収納された小物類は奥側端部２１ｂｂに設けた返し部で飛び出しを阻止できる。
しかしながら、扉１５がストッパー部１０の先端部１０ａに当接した際の衝撃等で収納部１６内の小物類等の一部が奥側端部２１ｂｂから飛び出すことがあり得る。その場合でも、飛び出した小物類は底部１１に落ちて起立部１１ｂで停止させられ、床面に落下することはない。
【００２６】
しかも、回転式収納ポケット１２は収納本体２１の奥側端部２１ｂｂが扉側端部２１ａａより低い位置にあるため、従来のものと比較してカウンター３により近接した上側に位置させている。そのため、底部１１も従来のものよりもカウンター３により近接した高さ位置にある。しかも、底板１１ａの奥行長さが短くてすむため、底部１１の下側空間から使用者等が手を延ばして小物類を底部１１から容易に回収できる。
【００２７】
上述したように、本実施形態に係る洗面台１によれば、回転式収納ポケット１２の収納部１６は洗面ボウル４の裏面４ａの前方に突出しているため、裏面４ａと干渉することなくカウンター３により近い位置に設置できる。また、底部１１もカウンター３に近い位置に設置でき、その下方空間が大きくなり、ニースペースを十分確保できる。そのため、洗面台１の使用者が椅子等に着座して膝や足等を底部１１の下側に延ばしても底部１１が邪魔にならず、膝や足等が収納部１６に接触したり洗面ボウル４の裏面４ａに接触したりすることを底部１１によって防止できる。
しかも、底部１１の奥行長さを短く設定できるため、収納部１６から底部１１に落ちた小物類を容易に拾い上げることができる。
【００２８】
なお、本発明による洗面台１は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００２９】
次に本発明の第一実施形態の変形例について説明する。
図２において、第一実施形態では、洗面ボウル４の裏面４ａに重ならない位置、即ち裏面４ａの最上部である傾斜開始点ａの前側（外側）位置に収納部１６を設置する構成を有している。しかしながら、カウンター３の下面３ｂに設置する前板９及びストッパー部１０、そしてその下側の収納部１６及び底部１１が洗面ボウル４の裏面４ａに接触しない範囲であれば、平面視で洗面ボウル４の裏面４ａに重なる位置に収納部１６を設置してもよい。この場合の収納部１６の設置可能範囲は、洗面ボウル４の裏面４ａがカウンター３の下面３ｂから突出する際の傾斜角による。
その場合、開放位置にある収納部１６の上部の開口１６ａがカウンター３の前側に突出するようにカウンター３の前面を形成することが好ましい。この場合、カウンター３は少なくとも洗面ボウル４の前面と同一位置になるまで短縮化可能である。
本変形例の場合でも、第一実施形態と同様の作用効果を得られる。
【００３０】
次に本発明の第二実施形態による洗面台１Ａについて図８により説明する。
本第二実施形態による洗面台１Ａでは、洗面ボウル４がカウンター３に嵌合されており、しかも洗面ボウル４の上面４ｂはカウンター３の上面３ａと面一になるように一体に設定され、カウンター３の前面は洗面ボウル４よりも前方に延びている。そして、洗面ボウル４の裏面４ａはカウンター３の下面３ｂから下方に突出しており、テーパ状をなす張り出し傾斜部４ｃと略平坦な面を形成する中央底部４ｄとを有している。そして、中央底部４ｄの奥側に設けた段部４ｅを介して排水管６に接続された構成を有している。
洗面ボウル４の裏面４ａにおいて、張り出し傾斜部４ｃはカウンター３内の上端部の傾斜開始点ａから中央底部４ｄとの境界をなす境界部ｂまで延びており、その中間にカウンター３の下面３ｂとの交差部ｃを有している。張り出し傾斜部４ｃはカウンター３の下面３ｂとの交差部ｃから下方に向けて奥側に突出している。
なお、図８に示す洗面台１Ａではカウンター３の前面に前垂れは設けられていないが、前垂れを設けた場合、その下端部の水平方向延長線と洗面ボウル４の裏面４ａとの交差部分が上述した交差部ｃに相当する。
【００３１】
本第二実施形態では、交差部ｃを通る垂線より前側(外側)に前板９とストッパー部１０が設置され、交差部ｃの前側において扉１５の内面１５ａに収納部１６が固定されている。収納部１６の下部に設置された底部１１は底板１１ａが水平方向に交差部ｃを超えて境界部ｂの近傍まで延びているが、境界部ｂより奥側に延びていてもよいし、前側で終わっていてもよい。
そのため、本第二実施形態による洗面台１Ａにおいて、回転式収納ポケット１２の収納部１６は洗面ボウル４の裏面４ａに一部重なるが、重なる部分はカウンター３との交差部ｃより前側に設定されている。そのため、収納部１６は裏面４ａと干渉することなく上方のカウンター３側に寄せて設置できる。また、底部１１もカウンター３により近い位置に設置できる。
【００３２】
従って、本第二実施形態による洗面台１Ａでは、第一実施形態と同様に、収納部１６と底部１１をカウンター３により近い位置に設置できて、その下方空間が大きくなり、ニースペースを十分確保できる。また、洗面台１Ａの使用者が椅子等に着座しても膝や足等が収納部１６に接触したり洗面ボウル４の裏面４ａに接触したりすることを防止できる。しかも、底部１１の奥行長さを短く設定できて収納部１６から底部１１に落ちた小物類を容易に拾い上げることができる。
【００３３】
次に図９は第二実施形態の変形例による洗面台１Ｂを示すものである。
図９において、洗面台１Ｂのカウンター３は一体形成された洗面ボウル４の前方に第二実施形態のものより長く延びている。洗面ボウル４の裏面４ａの張り出し傾斜部４ｃがカウンター３の下面３ｂと交差する交差部ｃの前方に、裏面４ａの傾斜開始点ａが設置されている。
本変形例では、扉１５の内面１５ａに固定された収納部１６は、傾斜開始点ａよりも前方に設置されている。そのため、本変形例においても、収納部１６を洗面ボウル４の裏面４ａと干渉することなく、よりカウンター３に寄せて上側に設置できる。
【００３４】
なお、本発明において、回転式収納ポケット１２の扉１５と収納部１６をカウンター３の下面３ｂ側に近接して設置できれば、底部１１は設けなくてもよい。この場合、使用者の膝や足等と収納部１６との間に十分な隙間を設定したニースペースを得られる。
また、底部１１は使用者の足や膝等を収納部１６や洗面ボウル４の裏面から保護する保護部材に含まれる。
なお、洗面ボウル４の裏面４ａの形状は上述した実施形態で示す張り出し傾斜部４ｃと中央底部４ｄを備えた断面略台形状のもの以外に、略半球状や略円錐状等、適宜の形状のものを採用できる。
【００３５】
いずれの場合でも、本発明においては、回転式収納ポケット１２の扉１５と収納部１６が少なくともカウンター３の下面３ｂ及び洗面ボウル４の裏面４ａの交差部ｃより前側に設置できれば平面視で収納部１６と裏面４ａが重なっていてもよい。
好ましくは、裏面４ａの傾斜開始点ａより前側であること、即ち平面視で収納部１６と裏面４ａが重ならない条件を満たせば洗面ボウル４の裏面４ａの形状がどのようなものであっても本発明を適用できる。
また、上述した各実施形態や変形例では洗面台１、１Ａ、１Ｂに設けた各回転式収納ポケット１２について説明したが、本発明は洗面台１、１Ａ、１Ｂ等に限定されることなく、洗面化粧台、戸棚や机、システムキッチン、その他の回転式収納ポケット１２を設置した収納台等の各種のキャビネットに適用できることはいうまでもない。
【符号の説明】
【００３６】
１、１Ａ、１Ｂ  洗面台
３  カウンター
３ｂ  下面
４  洗面ボウル
４ａ  裏面
４ｂ  上面
４ｃ  張り出し傾斜部
４ｄ  中央底部
９  前板
１０  ストッパー部
１１  底部
１２  回転式収納ポケット
１５  扉
１５ａ  内面
１６  収納部
１６ａ  開口
２１  収納本体
２２  側部
２４  仕切部
ａ  傾斜開始部
ｃ  交差部
【図１】
2018089244.tif 000003
【図２】
2018089244.tif 000004
【図３】
2018089244.tif 000005
【図４】
2018089244.tif 000006
【図５】
2018089244.tif 000007
【図６】
2018089244.tif 000008
【図７】
2018089244.tif 000009
【図８】
2018089244.tif 000010
【図９】
2018089244.tif 000011